(57)【特許請求の範囲】
【請求項１】
擬似餌もしくは餌付の釣針を船で引張って魚を釣るトローリング装置であって、前記擬似餌もしくは餌付の釣針を取付けた幹糸を巻出し巻入れる幹糸ローラーと、前記擬似餌もしくは餌付の釣針にかかった魚を取外す魚外し装置とを有し、前記幹糸の船と逆側の先端に、該幹糸を引張って水面に浮かせ、前記擬似餌もしくは餌付の釣針と隣接する幹糸とのからみを防止するアンカーフロートブレーキを設けたことを特徴とするトローリング装置。
【請求項２】
前記アンカーフロートブレーキは、笠状、板状、スクリュー状のいずれかの形状のフロートであって、比重を調整する錘を有することを特徴とする請求項１に記載のトローリング装置。
【請求項３】
船の左右に拡張部材を設け、該拡張部材に前記幹糸及びアンカーフロートブレーキを取付けたことを特徴とする請求項1または請求項２に記載のトローリング装置。
【請求項４】
前記幹糸は、擬似餌もしくは餌付の釣針を取付ける枝糸用アーム、及び、釣った魚を擬似餌もしくは餌付の釣針から取外す副糸用アームを有することを特徴とする請求項1乃至請求項３のいずれか一項に記載のトローリング装置。
【請求項５】
請求項1乃至請求項４のいずれか一項に記載のトローリング装置を用いて一般魚、カツオまたはマグロを釣ることを特徴とするトローリング方法。
【発明の詳細な説明】
【技術分野】
【０００１】
本発明は、擬似餌もしくは餌付の釣針を船で引張って魚を釣るトローリング装置、および、それを用いたトローリング方法に関する。
【背景技術】
【０００２】
擬似餌もしくは餌付の釣針を船で引張って魚を釣るトローリング装置は、一般魚、カツオまたはマグロを釣る方法として用いられている。
【０００３】
トローリング装置に関しては従来から種々の提案がなされており、例えば、
下記特許文献１には、竿と回転竿受け台及びモータ電源自動化スイッチとモータ、減速機から構成され、魚の強い引きの引張力で糸が引っ張られる時に、約６０度傾斜した金属竿が平行移動をすると同時に、金属竿に固定された金属板が上下首降り回転ローラを押し上げると同時に、回転ローラ部分が電源入りスイッチ弁を押してモータの電源スイッチを入れ自動的に釣糸を巻取る自動トローリング魚釣り装置が記載されている。
【０００４】
しかし、特許文献１に記載された従来のトローリング装置は、釣針にかかった魚が横方向に逃げて幹糸を引張ることにより、幹糸が隣接する釣針にからんでしまうという問題点があった。また、釣針にかかった魚を自動的に取外すことができなかった。
【先行技術文献】
【特許文献】
【０００５】
【特許文献１】特開平７−６７５０２号公報
【発明の開示】
【発明が解決しようとする課題】
【０００６】
本発明は、前述のような従来技術の問題点を解決し、波の変化に即応して、擬似餌もしくは餌付の釣針を水面下の一定深さに保持することができ、餌付の釣針が横方向に引張られて隣接する幹糸にからむことを防止できるうえ、多数の擬似餌もしくは餌付の釣針を取付け、かかった魚を自動的に取外すことができるトローリング装置、および、トローリング方法を提供することを課題とし、具体的な課題を下記に示す。
１）従来の人手によりトローリング漁法を機械化し、自動的に釣上げることができるトローリング装置、および、トローリング方法を提供する。
２）波の変化に即応して疑似餌もしくは餌付きの釣針を水面下の一定の深さに保持し、多数の疑似餌もしくは餌付きの釣針を取付けて、かかった魚を自動的に取外すことができるトローリング装置、および、トローリング方法を提供する。
【課題を解決するための手段】
【０００７】
本発明は、前述の課題を解決するために、幹糸の船と逆側の先端に、該幹糸を引張って水面に浮かせるアンカーフロートブレーキを設けたものであり、その要旨とするところは特許請求の範囲に記載した通りの下記内容である。
【０００８】
（１）擬似餌もしくは餌付の釣針を船で引張って魚を釣るトローリング装置であって、前記擬似餌もしくは餌付の釣針を取付けた幹糸を巻出し巻入れる幹糸ローラーと、前記擬似餌もしくは餌付の釣針にかかった魚を取外す魚外し装置とを有し、前記幹糸の船と逆側の先端に、該幹糸を引張って水面に浮かせ、前記擬似餌もしくは餌付の釣針と隣接する幹糸とのからみを防止するアンカーフロートブレーキを設けたことを特徴とするトローリング装置。
（２）前記アンカーフロートブレーキは、笠状、板状、スクリュー状のいずれかの形状のフロートであって、比重を調整する錘を有することを特徴とする（１）に記載のトローリング装置。
（３）船の左右に拡張部材を設け、該拡張部材に前記幹糸及びアンカーフロートブレーキを取付けたことを特徴とする（１）または（２）に記載のトローリング装置。
（４）前記幹糸は、擬似餌もしくは餌付の釣針を取付ける枝糸用アーム、及び、釣った魚を擬似餌もしくは餌付の釣針から取外す副糸用アームを有することを特徴とする（１）乃至（３）のいずれか一項に記載のトローリング装置。
（５）（１）乃至（４）のいずれか一項に記載のトローリング装置を用いて一般魚、カツオまたはマグロを釣ることを特徴とするトローリング方法。
【０００９】
＜作用＞
（１）の発明のトローリング装置によれば、幹糸の船と逆側の先端に、アンカーフロートを有するので、船で引張ることにより幹糸を引張って水面に浮かせることにより擬似餌もしくは餌付の釣針を水面下の一定深さに保持することができ、餌付の釣針が横方向に引張られて隣接する幹糸にからむことを防止できるうえ、擬似餌もしくは餌付の釣針を取付けた幹糸を巻出し巻入れるローラーを有するので、多数の擬似餌もしくは餌付の釣針を簡単に取付けることができる。
（２）の発明のトローリング装置によれば、アンカーフロートブレーキを笠状、板状、スクリュー状のいずれかの形状とすることにより、船の大きさや、擬似餌もしくは餌付の釣針の数に適したアンカーフロートブレーキを選択することができるうえ、比重を調整する錘を有するので、アンカーフロートブレーキの浮力を容易に設定することができる。
【００１０】
（３）の発明のトローリング装置によれば、船の左右に拡張部材を設け、該拡張部材に前記幹糸及びアンカーフロートブレーキを取付けているので、船の幅より広い範囲に数多くの擬似餌もしくは餌付の釣針を取付けることができる。
（４）の発明のトローリング装置によれば、擬似餌もしくは餌付の釣針を取付ける枝糸用アーム、及び、釣った魚を擬似餌もしくは餌付の釣針から取外す副糸用アームを有するので、数多くの擬似餌もしくは餌付の釣針を簡単に取付け、かかった魚を自動的に取外すことができる。
（５）の発明のトローリング方法によれば、前記（１）乃至（４）のいずれか一項に記載のトローリング装置を用いることにより、水面近くを遊泳する一般魚だけでなく、大型魚であるカツオまたはマグロを効率よく簡単に釣ることができる。
【発明の効果】
【００１１】
本発明によれば、、波の変化に即応して、擬似餌もしくは餌付の釣針を水面下の一定深さに保持することができ、餌付の釣針が横方向に引張られて隣接する幹糸にからむことを防止できるうえ、多数の擬似餌もしくは餌付の釣針を取付け、釣った魚を擬似餌もしくは餌付の釣針から自動的に取外すことができ、幹糸を巻入れ、巻出す動作を繰返して連続的に魚を釣上げることができるトローリング装置、および、ローリング方法を提供することができるなど、産業上有用な著しい効果を奏する。
【図面の簡単な説明】
【００１２】
【図１】本発明のトローリング装置の実施形態例示する平面図である。
【図２】本発明のトローリング装置に用いるアンカーフロートブレーキを例示する図である。
【図３】本発明のトローリング装置の好ましい実施形態例示する模式図であり、船の側面から幹糸及び釣具を張り出させたトローリング装置を示す図である。
【図４】本発明のトローリング装置に用いる擬似餌もしくは餌の取付け取外し方法を例示する図である。
【図５】本発明のトローリング装置に用いる笠状のアンカーフロートブレーキの詳細図である。
【図６】本発明のトローリング装置の実施形態例示する側面図である。
【図７】本発明のトローリング装置に用いる自動魚外し装置を示する図である。
【発明を実施するための形態】
【００１３】
発明を実施するための形態について、図１〜図７を用いて詳細に説明する。図１〜図７において、１は船、２は運転室、３は自動魚外し装置、４は幹糸ローラー、５は幹糸、６はフロート、７は枝糸用アーム、８は疑似餌もしくは餌付の釣針、９は  リミットスイッチ作動部材、１０はアンカーフロートブレーキ、１１は錘、１２は副糸用アーム、１３は拡張部材（収納時）、１３´は拡張部材（使用時）、１４は疑似餌もしくは餌付の釣針取付用ピン、１５はブレーキ付モーター、１６は減速機、１７はクラッチ（電動もしくは手動）、１８は笠状板、１９は開閉リング、２０はクロス、３０は魚、３１はチェーン、３２は魚移動受板、３３は魚受入れ板、３４はインターロックオン・オフリミッタースイッチ３５は枝糸、３６は  副糸、３７はフロート、４０は外れ止めバー、５０は幹糸とアーム接続クリップバンド、５１は負荷による巻上げ作動リミットスイッチを示す。
【００１４】
図１は、本発明のトローリング装置の実施形態例示する平面図であり、図１（a）は小型船で２本の幹糸を用いたトローリング装置を例示したものであり、図1（ｂ）は小型船で１本の幹糸を用いたトローリング装置を例示したものである。
る。図１に示すように、本発明のトローリング装置は、擬似餌もしくは餌付の釣針８を船１で引張って魚を釣るトローリング装置であって、前記擬似餌もしくは餌付の釣針８を取付けた幹糸５を巻出し巻入れる幹糸ローラー４と、前記擬似餌もしくは餌付の釣針にかかった魚を取外す魚外し装置とを有し、前記幹糸５の船１と逆側の先端に、該幹糸５を引張って水面に浮かせて隣接する幹糸とのからみを防止するアンカーフロートブレーキ１０を設けたことを特徴とする。
【００１５】
従来のトローリング装置は、擬似餌もしくは餌付の釣針にかかった魚が、水面下を横方向に逃げて幹糸を引っ張るため、擬似餌もしくは餌付の釣針が隣接する幹糸にからむという問題点があった。
【００１６】
そこで本発明は、幹糸５の船と逆側の先端に、アンカーフロートブレーキ１０を有するので、船１で引張ることにより幹糸５を引張って水面に浮かせることにより、擬似餌もしくは餌付の釣針８を水面下の一定深さに保持することができ、餌付の釣針８が横方向に引張られて隣接する幹糸５にからむことを防止できるうえ、擬似餌もしくは餌付の釣針８を取付けた幹糸を巻出し巻入れる幹糸ローラー４を有するので、多数の擬似餌もしくは餌付の釣針8を簡単に取付けることができる。また、隣接する幹糸５を従来よりも近接させることができる。ここに、アンカーフロートブレーキ１０とは、幹糸５の船１と逆側の先端に設けるフロートであって、該幹糸を引張って水面に浮かせるとともに、擬似餌もしくは餌付の釣針８が隣接する幹糸５にからむことを防止するフロートをいう。
【００１７】
また、擬似餌もしくは餌付の釣針８を取付けた幹糸を巻出し巻入れる幹糸ローラー４を有するので、多数の擬似餌もしくは餌付の釣針を簡単に取付けることができるうえ、自動魚外し装置３を設けることにより、釣った魚を自動的に取外すことができる。
【００１８】
また、擬似餌もしくは餌付の釣針にかかった魚を取外す魚外し装置とを有するので、釣り上げた魚を自動的に取外すことができ、幹糸の巻き出し、魚の釣り上げ、取外しの一連の工程を連続して繰り返すことができる。本発明に用いる幹糸５は、魚を釣り上げる強度と耐久性を有していればよく、その材質や形状は問わない。また、リミットスイッチ作動部材９は、幹糸5の巻入れ過ぎを感知して停止させるスイッチである。
【００１９】
図２は、本発明のトローリング装置に用いるアンカーフロートブレーキを例示する図である。図２に示すように、本発明に用いるアンカーフロートブレーキ１０は、図２（a）に示す笠状、図２（ｂ）に示す板状、図２（ｃ）に示すスクリュー状のいずれかの形状のフロートであって、比重を調整する錘１１を有することを特徴とする。
【００２０】
アンカーフロートブレーキ１０を笠状、板状、スクリュー状のいずれかの形状とすることにより、船の大きさや、擬似餌もしくは餌付の釣針８の数に適したアンカーフロートブレーキ１０を選択することができるうえ、比重を調整する錘１１を有するので、アンカーフロートブレーキ１０の浮力を容易に設定することができ、擬似餌もしくは餌付の釣針８を水面下の一定深さに保持することができるうえ、隣接する幹糸５と絡みを防止することができる。なお、アンカーフロートブレーキ１０の材質、形状は問わないが、ナイロン、ポリプロピレン、ポリエチレンなどの合成重合発泡体で製作することが好ましい。
【００２１】
図２（ｃ）に示すスクリュー状のアンカーフロートブレーキ１０は、スクリュー形状をなす羽根の枚数とネジリ角を変えることにより、水の抵抗を調整することができる。なお、図２（e）、（ｆ）は、疑似餌もしくは餌付の釣針８のケースを例示する図であり、図２（e）は疑似餌もしくは餌付の釣針８の収納状態を示し、図２（ｆ）は疑似餌もしくは餌付の釣針８がケースの外に出る状態を示す。このように、疑似餌もしくは餌付の釣針８を使用しない時はケース内に収納することにより、万一の事故を防止することができる。
【００２２】
図３は、本発明のトローリング装置の好ましい実施形態例示する模式図であり、船の側面から幹糸及び釣具を張り出させたトローリング装置を示す図である。図３に示すように、船１の左右に拡張部材１３を設け、該拡張部材１３を１３´に示すように船１の左右に拡張し、前記幹糸及びアンカーフロートブレーキ１０を取付けることにより、船１の幅より広い範囲に数多くの擬似餌もしくは餌付の釣針８を取付けることができる。
【００２３】
図４は、本発明のトローリング装置に用いる擬似餌もしくは餌の取付け取外し方法を例示する図である。図４（a）に示すように、幹糸に枝糸用アーム７と  副糸用アーム１２を取付け、図４（b）に示すように、ピン１４を用いて、枝糸用アーム７に枝糸を取付け、副糸用アーム１２に副糸を取付けることにより、図１に示す自動魚外し装置３により、副糸用アーム１２を引張ることにより、釣った魚を擬似餌もしくは餌付の釣針８から自動的に取外すことができる。
【００２４】
図５は、本発明のトローリング装置に用いる笠状のアンカーフロートブレーキの詳細図であり、図５（a）は笠状板１８が閉じた収納状態を示し、図５（b）は笠状板１８が開いた使用状態を示し、図５（c）は笠状板１８が開いた使用状態の断面を示す。即ち、笠状のアンカーフロートブレーキ１０はフロート３７の周囲に複数の笠状板１８と開閉リング１９を有しており、水中での使用状態では、水の抵抗を受けて開閉リング１９が移動して、図５（b）に示すように笠状板１８が開き、図５（c）に示すように笠状板１８同士はクロス２０によって接続されているので、船１により引張られると水の抵抗を受けて幹糸５を効果的に引張ることができる。
【００２５】
アンカーフロートブレーキ１０はフロート３７と錘１１とを有するので、浮力の調整を行うことができるうえ、必要に応じ、それぞれの疑似餌もしくは餌付の釣針８に補助的なフロート６を設けてもよい。このアンカーロートブレーキ１０を船で引張ることにより幹糸５を引張って水面に浮かせることにより擬似餌もしくは餌付の釣針を水面下の一定深さに保持することができ、餌付の釣針が横方向に引張られて隣接する幹糸にからむことを防止できる。
【００２６】
図６は、本発明のトローリング装置の実施形態例示する側面図である。図６に示すように、本発明のトローリング装置は、幹糸５の船１の反対側の先端に、前述のアンカーフロートブレーキ１０を設けることにより、波の変化に即応して、疑似餌もしくは餌付の釣針８を水面下の一定の深さに保持することができるので、一般魚だけでなく、水面近くにいるカツオやマグロを効率良く釣り上げることができる。
また、船1の大きさによって、幹糸5の本数を決めればよく、擬似餌もしくは餌付の釣針８を取付けた幹糸を巻出し巻入れる幹糸ローラー４を有するので、多数の擬似餌もしくは餌付の釣針を簡単に取付けることができるうえ、自動魚外し装置３を設けることにより、釣った魚を自動的に取外すことができる。
【００２７】
図７は、本発明のトローリング装置に用いる自動魚外し装置を示する図である。海中で魚が針にかかると、針先が上向きになって針先と外れ止めバー４０により魚が挟まれて魚が外れなくなるが、幹糸５が海中から船内に搬送されて、魚外し装置３に巻付くと針先が下向きになって、外れ止めバー４０が開くので、魚が外れて落ちる。魚が釣針にかかると魚の重量と引張りにより幹糸５と幹糸ローラー４に一定以上の負荷がかかると幹糸の巻上げを自動的に行い、魚外しセンサーが働いて船内で魚を自動的に外し、巻上げストップリミッターが魚外し装置３に当たり止り、巻出しリミッターで幹糸の巻出しが始まり、再度釣針を海中に出すことにより、連続的に魚を釣ることができる。
【００２８】
また、魚の食付きが悪いときは、幹糸のインチング巻上げを行うことにより、疑似餌もしくは餌付き針を生きた餌のような動きをさせるシャクリ効果を与えて、魚の食付きを向上させることができる。本発明のトローリング装置およびトローリング方法は、特に、カツオまたはマグロなどの大型の魚釣りに適しており、スポーツとしての釣りだけでなく、産業としての漁業の発展に大きな貢献を果たすことが期待される。
【符号の説明】
【００２９】
１  船
２  運転室
３  自動魚外し装置
４  幹糸ローラー
５  幹糸
６  フロート
７  枝糸用アーム
８  疑似餌もしくは餌付の釣針
９  リミットスイッチ作動部材
１０  アンカーフロートブレーキ
１１  錘
１２  副糸用アーム
１３  拡張部材（収納時）
１３´拡張部材（使用時）
１４  疑似餌もしくは餌付の釣針取付用ピン
１５  ブレーキ付モーター
１６  減速機
１７  クラッチ（電動もしくは手動）
１８  笠状板
１９  開閉リング
２０  クロス
３０  魚
３１  連動チェーン
３２  魚移動受板
３３  魚受入れ板
３４  インターロックオン・オフリミッタースイッチ
３５  枝糸
３６  副糸
３７  フロート
４０  外れ止めバー
５０  幹糸とアーム接続クリップバンド
５１  負荷による巻上げ作動リミットスイッチ
【要約】
【課題】波の変化に即応して、擬似餌もしくは餌付の釣針を水面下の一定深さに保持することができるうえ、多数の擬似餌もしくは餌付の釣針を取付け、かかった魚を自動的に取外すことができるトローリング装置、および、ローリング方法を提供する。
【課題を解決するための手段】
擬似餌もしくは餌付の釣針を船で引張って魚を釣るトローリング装置であって、前記擬似餌もしくは餌付の釣針を取付けた幹糸を巻出し巻入れる幹糸ローラーと、前記擬似餌もしくは餌付の釣針にかかった魚を取外す魚外し装置とを有し、前記幹糸の船と逆側の先端に、該幹糸を引張って水面に浮かせて隣接する幹糸とのからみを防止するアンカーフロートブレーキを設けたことを特徴とするトローリング装置、および、それを用いたトローリング方法。
【選択図】  図２【図１】
0004740393.tif 000002
【図２】
0004740393.tif 000003
【図３】
0004740393.tif 000004
【図４】
0004740393.tif 000005
【図５】
0004740393.tif 000006
【図６】
0004740393.tif 000007
【図７】
0004740393.tif 000008